(57)【要約】【課題】回転ドラム内で洗濯、すすぎ、脱水などの各行程を逐次制御するドラム式洗濯機において、洗濯機の設置場所によって、ドアの開閉方向を左右いずれかに選定して取り付けるようにし、ドア越しに洗濯物の出し入れをしなくてもよくして、使い勝手を向上する。【解決手段】略水平方向または略傾斜方向に回転軸を有する回転ドラム１７を水槽１４に内包し、水槽１４を筐体１１内に弾性支持し、水槽１４の開口部１５にドア１６を設ける。ドア１６は略鉛直方向を回転軸とするヒンジ部材１８と、ドア１６の閉塞を保持する係止部材１９とを有し、ヒンジ部材１８を筐体１１の左右いずれの側でも回転軸となるように筐体１１に取り付け可能とする。【選択図】　図１
2004105268.tif 000002
【特許請求の範囲】
【請求項１】
略水平方向または略傾斜方向に回転軸を有する回転ドラムと、前記回転ドラムを内包する水槽と、前記水槽を弾性支持する筐体と、前記水槽の開口部に設けたドアとを備え、前記ドアは略鉛直方向を回転軸とするヒンジ部材と、ドアの閉塞を保持する係止部材とを有し、前記ヒンジ部材を前記筐体の左右いずれの側でも回転軸となるように筐体に取り付け可能としたドラム式洗濯機。
【請求項２】
ヒンジ部材と係止部材はドアより取り外し可能とした請求項１記載のドラム式洗濯機。
【請求項３】
ドアは開口部中心に対して点対称形状とした請求項１記載のドラム式洗濯機。
【請求項４】
ドアは略円形形状をなし、筐体に前記ドアの回転対称中心軸に対して１８０°回転して取り付け可能な取り付け部材を設け、前記取り付け部材にヒンジ部材を取り付けるようにした請求項１記載のドラム式洗濯機。
【発明の詳細な説明】
【０００１】
【発明の属する技術分野】
本発明は、回転ドラム内で洗濯、すすぎ、脱水などの各行程を逐次制御するドラム式洗濯機に関するものである。
【０００２】
【従来の技術】
従来、この種のドラム式洗濯機は図３に示すような構成であった。以下、その構成について説明する。
【０００３】
図３に示すように、筐体１は、内部に複数のサスペンション２とダンパー３とで水槽４を支持し、水槽４の開口部５をドア６により筐体１の左右いずれか一方に開閉するようにしている。水槽４内に回転ドラム７を回転自在に配設し、筐体１に設けた給水弁（図示せず）より水槽４内に給水するとともに、排水ポンプ８と連通した排水経路９を通して水槽４内の水を排水するよう構成している。
【０００４】
上記構成において動作を説明する。回転ドラム７内に洗濯物を投入し洗濯行程を開始すると、給水弁が開き、水槽４内に所定の水位まで給水する。つぎに、回転ドラム７を約５０ｒ／ｍｉｎで駆動し、投入された衣類は回転ドラム７内で持ち上げられては落下を繰り返し、洗剤水と水面に落下したときの機械力によって洗浄される。
【０００５】
洗濯が終わると排水ポンプ８を駆動し、水槽４内の洗濯水を排水経路９を通して排水する。排水が終わると、回転ドラム７を約１０００ｒ／ｍｉｎで高速回転して脱水を行い、脱水行程が終了する。乾燥機能付きのものにあっては、さらに乾燥行程へ移行する。
【０００６】
このようなドラム式洗濯機は、一般家庭内において設置される場所は、図４に示すように、洗面所等の壁際に設置されていることがほとんどである。
【０００７】
【発明が解決しようとする課題】
このような従来の構成において、狭い洗面所内にドラム式洗濯機を設置した場合、筐体１のすぐ横が壁面といった設置状況もけっして珍しくない。その際、ドア６の開閉方向はすでに決まっているため、場合によっては、ドア６のヒンジの反対側が壁面となるようにしか設置できず、そのためドア６の開口側には人が立てず、洗濯を行う際の洗濯物の出し入れをドア６越しにせねばならないため、非常に使い勝手の悪いものであった。
【０００８】
本発明は上記従来の課題を解決するもので、洗濯機の設置場所によって、ドアの開閉方向を左右いずれかに選定して取り付けるようにし、ドア越しに洗濯物の出し入れをしなくてもよくして、使い勝手を向上することを目的としている。
【０００９】
【課題を解決するための手段】
本発明は上記目的を達成するために、略水平方向または略傾斜方向に回転軸を有する回転ドラムを水槽に内包し、水槽を筐体内に弾性支持し、水槽の開口部にドアを設け、ドアは略鉛直方向を回転軸とするヒンジ部材と、ドアの閉塞を保持する係止部材とを有し、ヒンジ部材を筐体の左右いずれの側でも回転軸となるように筐体に取り付け可能としたものである。
【００１０】
これにより、洗濯機の設置場所によって、ドアの開閉方向を左右いずれかに選定して取り付けることができ、ドア越しに洗濯物の出し入れをしなくてもよくなり、使い勝手を向上することができる。
【００１１】
【発明の実施の形態】
本発明の請求項１に記載の発明は、略水平方向または略傾斜方向に回転軸を有する回転ドラムと、前記回転ドラムを内包する水槽と、前記水槽を弾性支持する筐体と、前記水槽の開口部に設けたドアとを備え、前記ドアは略鉛直方向を回転軸とするヒンジ部材と、ドアの閉塞を保持する係止部材とを有し、前記ヒンジ部材を前記筐体の左右いずれの側でも回転軸となるように筐体に取り付け可能としたものであり、洗濯機の設置場所によって、ドアの開閉方向を左右いずれかに選定して取り付けることができ、ドア越しに洗濯物の出し入れをしなくてもよくなり、使い勝手を向上することができる。
【００１２】
請求項２に記載の発明は、上記請求項１に記載の発明において、ヒンジ部材と係止部材はドアより取り外し可能としたものであり、筐体からドアを外してそのままヒンジ部材の左右取り付けを変えたときは、ドアを１８０度回して取り付けなければならないが、ドアのヒンジ部材と係止部材を取り外して、さらに付け換えることで、ドアを１８０度回転することなく取り付けることができ、筐体の外観に大きく影響することがなく、商品性の低下を防ぐことができる。
【００１３】
請求項３に記載の発明は、上記請求項１に記載の発明において、ドアは開口部中心に対して点対称形状としたものであり、筐体からドアを外して、ドアを１８０度回して左右取り付けを変えた場合でも、ドアが点対称形状であるため、筐体の外観に大きく影響することがなく、商品性の低下を防ぐことができる。
【００１４】
請求項４に記載の発明は、上記請求項１に記載の発明において、ドアは略円形形状をなし、筐体に前記ドアの回転対称中心軸に対して１８０°回転して取り付け可能な取り付け部材を設け、前記取り付け部材にヒンジ部材を取り付けるようにしたものであり、ヒンジ部材を筐体やドアから取り外すことなく取り付け部材を外して、１８０度回転して取り付けることにより、ドアの開閉方向を変更することができ、これによって洗濯機の設置場所によっては、ドアの開閉方向を左右いずれかを選定して取り付けることにより、ドア越しに洗濯物の出し入れをしなくてもよくなり、使い勝手を向上することができる。
【００１５】
【実施例】
以下、本発明の実施例について、図面を参照しながら説明する。
【００１６】
（実施例１）
図１に示すように、筐体１１は、内部に複数のサスペンション１２とダンパー１３とで水槽１４を弾性支持し、水槽１４の開口部１５をドア１６により開閉するようにしている。水槽４内に略水平方向に回転軸を有する回転ドラム１７を回転自在に配設している。
【００１７】
ドア１６に、略鉛直方向を回転軸とするヒンジ部材１８と、ドア１６の閉塞を保持する係止部材１９とを取り付けている。ヒンジ部材１８は、筐体１１の左右いずれの側でも回転軸となるように筐体１５に取り付け可能としている。
【００１８】
ここで、ヒンジ部材１８と係止部材１９をドア１６より取り外し可能としている。また、ドア１６は開口部１５中心に対して点対称形状としている。
【００１９】
上記構成において作用を説明する。ドア１６は、筐体１１からヒンジ部材１８を取り外し、筐体１１の左右いずれの側でも回転軸を設けることができ、洗濯機の設置場所に合わせて、ドア１６は筐体１１の任意の方向に開くように選定することができる。これにより、ドア越しに洗濯物の出し入れをしなくてもよくなり、使い勝手を向上することができる。
【００２０】
また、ヒンジ部材１８と係止部材１９をドア１６より取り外し可能とすることにより、ドア１６の開き方向を変えるとき、筐体１１からヒンジ部材１８を取り外し、さらにドア１６に取り付けたヒンジ部材１８と係止部材１９を外して、ドア１６への取り付け位置を左右逆にすることにより、筐体１１からドア１６を外してそのままヒンジ部材１８の左右取り付けを変えた場合には、ドア１６を１８０度回して取り付けなければならないが、ドア１６のヒンジ部材１８と係止部材１９を取り外して付け換えるため、ドア１６を１８０度回転することなく取り付けすることができ、筐体１１の外観には大きく影響することがなく、商品性の低下を防ぐことができる。
【００２１】
また、ドア１６は開口部中心に対して円形等の点対称形状としたことにより、筐体１１からドア１６を外して、ドア１６を１８０度回して左右取り付けを変えた場合でも、ドア１６が点対称形状であるため、筐体１１の外観には大きく影響することがなく、商品性の低下を防ぐことができる。
【００２２】
なお、本実施例では、回転ドラム１７は略水平方向に回転軸を有しているが、略傾斜方向に回転軸を有する回転ドラムであってもよく、同様の作用効果を得ることができる。
【００２３】
（実施例２）
図２に示すように、取り付け部材２０は、筐体１１に略円形形状のドア１６の回転対称中心軸に対して１８０°回転して取り付け可能とするもので、この取り付け部材２０にドア１６に設けたヒンジ部材１８を取り付けるようにしている。他の構成は上記実施例１と同じであり、同一符号を付して説明を省略する。
【００２４】
上記構成において作用を説明する。ヒンジ部材１８を筐体１１やドア１６から取り外すことなく、取り付け部材２０を外して、１８０度回転して取り付けることにより、ドア１６の開閉方向を変更することができる。これにより、洗濯機の設置場所によって、ドア１６の開閉方向を左右いずれかを選定して取り付けることにより、ドア越しに洗濯物の出し入れをしなくてもよくなり、使い勝手を向上することができる。
【００２５】
【発明の効果】
以上のように、本発明の請求項１に記載の発明によれば、水槽の開口部に設けたドアは、略鉛直方向を回転軸とするヒンジ部材と、ドアの閉塞を保持する係止部材とを有し、ヒンジ部材を筐体の左右いずれの側でも回転軸となるように筐体に取り付け可能としたことにより、洗濯機の設置場所によって、ドアの開閉方向を左右いずれかに選定して取り付けることができ、ドア越しに洗濯物の出し入れをしなくてもよくなり、使い勝手を向上することができる。
【図面の簡単な説明】
【図１】本発明の第１の実施例のドラム式洗濯機のドアを開けた状態の要部断面図
【図２】本発明の第２の実施例のドラム式洗濯機のドアを開けた状態の要部断面図
【図３】従来のドラム式洗濯機の断面図
【図４】同ドラム式洗濯機の設置平面図
【符号の説明】
１１　筐体
１４　水槽
１５　開口部
１６　ドア
１７　回転ドラム
１８　ヒンジ部材
１９　係止部材
【図１】
2004105268.tif 000003
【図２】
2004105268.tif 000004
【図３】
2004105268.tif 000005
【図４】
2004105268.tif 000006